(57)【要約】　　　（修正有）【課題】外部からディスクトレーの動き及びディスクが回転等している様子が見えるようにする。【解決手段】ディスクトレーに載置されたディスク状記録媒体がトレー昇降ユニットにより内部に引き込まれて下降した下降位置においてスピンドルモータに装着されたディスク状記録媒体の端部及び又は昇降駆動されているディスクトレーの端部に光線を照射する光源照射手段と、ディスクトレーを引き出し又は引き込むディスク出入口の近傍位置に設けると共に、ディスク状記録媒体に照射している光線を視認できるように屈折するプリズムを備えたディスク覗窓部と、を備えたことである。【選択図】　　　図１
2004014003.tif 000002
【特許請求の範囲】
【請求項１】
装着されたディスク状記録媒体を回転駆動するスピンドルモータ及びその回転駆動されるディスク状記録媒体にデータを記録及び／又は再生する手段が搭載されたメカデッキと、
上記メカデッキに上方から脱着可能に装着されていると共に、そのメカデッキ内の上昇位置と下降位置との間で垂直方向に昇降駆動されるトレー昇降ユニットと、
上記トレー昇降ユニットに前方から脱着可能に装着されていると共に、そのトレー昇降ユニットへの前方への引き出し位置と内部への引き込み位置との間での水平方向に出し入れ駆動されるディスクトレーと、
上記トレー昇降ユニットに取り付けられ、そのトレー昇降ユニットに対する上記ディスクトレーの出し入れ駆動と、上記メカデッキに対するそのトレー昇降ユニット自体の昇降駆動とを順次に行うローディング駆動機構と、
上記ディスクトレーに載置されたディスク状記録媒体が前記トレー昇降ユニットにより内部に引き込まれて下降した下降位置において前記スピンドルモータに装着されたディスク状記録媒体の端部及び／又は上記昇降駆動されているディスクトレーの端部に光線を照射する光源照射手段と、
上記ディスクトレーを引き出し又は引き込むディスク出入口の近傍位置に設けると共に、上記光線により照射されたディスク状記録媒体及び／又は上記ディスクトレーを視認できるように屈折するプリズムを備えたディスク覗窓部と、
を備えたことを特徴とするディスクドライブ装置。
【請求項２】
前記プリズムは、覗く外側面を平面形状にすると共に反対側の面を湾曲面形状に形成し、且つ断面にした際の下部位置の肉厚に比べて上部位置の肉厚を厚く形成したことを特徴とする請求項１に記載のディスクドライブ装置。
【発明の詳細な説明】
【０００１】
【発明の属する技術分野】
本発明は、ディスクドライブ装置に関し、詳しくはＣＤ／ＤＶＤプレイヤー等に適用されるローディング中又はローディングされたディスク状記録媒体及びディスク状記録媒体を昇降させるディスクトレーを、外部から覗き込んで見えるようにして視認性を高めたディスクドライブ装置に関する。
【０００２】
【従来の技術】
従来技術におけるディスク装置であるＣＤ／ＤＶＤプレイヤーは、図２５及び図２６に示すように、スーパーオーディオＣＤ／ＤＶＤプレーヤーに構成されていて、大型のセット外筐の内部のほぼ中央位置で、フロントパネルの内側に接近された位置にディスクユニット２１０が着脱可能に搭載されている。そして、フロントパネル２１１のほぼ中央部にスリット状のトレー出入口２１２が水平状に形成されていて、そのフロントパネル２１１にはパワースイッチ２１３の他、イジェクトスイッチやその他の各種の調整スイッチやボリューム等の多数のスイッチ２１４が設けられている。そして、ディスクユニット２１０のディスクトレー２１５がトレー出入口２１２から出てきて、ディスクが載置できる状態になり、ディスクトレー２１５が内部に引き込むとトレー出入口２１２は内側から開閉扉２１６で閉塞される構成になっている。
【０００３】
ディスクユニット２１０は、図２７及び図２８に示すように、ベースシャーシを構成しているほぼ箱型で上部が開放されたメカデッキ２２０とそのメカデッキ２２０の上部に脱着可能にネジ止めされたメカデッキカバー２２１とによってほぼ箱型の本体が構成され、その本体の前面には水平状のディスク出入口部２２２が形成されている。
【０００４】
そして、このディスク出入口部２２２から水平方向である矢印ａ、ｂ方向に出し入れされるディスクトレー２１５がトレー昇降ユニット内に水平状に支持されていて、そのトレー昇降ユニットはメカデッキ２２０内で水平状態を保ったままの平行運動によって垂直方向である矢印ｃ、ｄ方向（図２８参照）に昇降自在に組み込まれている。
【０００５】
そして、トレー昇降ユニットの前端の上部には開閉扉２１６が水平状に取付けられていて、この開閉扉２１６が水平な前後方向である矢印ｅ、ｆ方向（図２８参照）に出し入れ自在に構成されている。
【０００６】
このような構造のＣＤ／ＤＶＤプレーヤーにおける、ディスクローデイング時は、先ず、装置内からディスクトレー２１５を、ＣＤ／ＤＶＤプレーヤーのフロントパネル２１１のトレー出入口２１２を通して外部まで矢印ｂ方向に引き出す。そして、ディスク状記録媒体であるレーザディスクをそのディスクトレー２１５の上部に水平状に載置した後、矢印ａ方向に水平状に引き込んで、このディスクトレー２１５を装置の内部の引き込み位置まで矢印ａ方向に水平状に引き込む。
【０００７】
そして、トレー昇降ユニットによって、ディスクトレー２１５を上昇位置から下降位置まで矢印ｃ方向（図２８参照）に垂直状に下降させて、レーザディスクを光学ピックアップユニットのスピンドルモータ上にチャッキングする。
【０００８】
そして、トレー昇降ユニットによって、ディスクトレー２１５を上昇位置から下降位置へ矢印ｃ方向に下降すると、開閉扉２１６がフロントパネル２１１のトレー出入口２１２と同一高さ位置まで下降される。
そして、この後に、この開閉扉２１６を後方位置から前方位置まで矢印ｅ方向に水平状に押し出して、この開閉扉２１６でフロントパネル２１１の内側からトレー出入口２１２を密封して、一連のディスクローデイング動作が終了する。
【０００９】
このトレー出入口２１２の上下方向及び左右方向の２方向の内面がテーパ面に形成されていて、開閉扉２１６の前面も上下方向と左右方向の２方向にテーパ面に形成されている。そして、開閉扉２１６前面の中央先端部分をトレー出入口２１２からフロントパネル２１１の前方に数ｍｍ以上の突出量分突出させるようにしてトレー出入口２１２を内側から密封する閉扉構造となっている。
【００１０】
尚、ディスクアンローデイング時には、上述した動作の逆の順序を実行する。即ち、開閉扉２１６を矢印ｆ方向に引き込んで、トレー出入口２１２を開放した後、トレー昇降ユニットを矢印ｄ方向に上昇する。そして、ディスクトレー２１５を矢印ｂ方向に引き出して、ディスクトレー２１５をトレー出入口２１２からフロントパネル２１１の外部まで矢印ｂ方向に引き出すようにすればよい。
【００１１】
【発明が解決しようとする課題】
しかしながら、従来技術で説明したディスクドライブ装置においては、ディスクトレーが筐体に対して出没自在な構造となっているため、ディスク状記録媒体をトレーに載せ、筐体内部に収納されると、そのディスク状記録媒体が筐体内部に隠れてしまい、ディスク状記録媒体及びディスクトレーが実際に動いているのかを確認したり、又は見ることができないため、本当に昇降動作又は回転している状態なのかをチェックすることができないという問題がある。
【００１２】
又、従来技術で説明したディスクドライブ装置においては、メカデッキは固定され、トレー昇降ユニットによってディスク状記録媒体が下降し、スピンドルモータに装着されるが、この機構はメカデッキが固定されているのでデータの記録及び／又は再生が安定して行われるが、機構が複雑となり、通常高級機のみで採用されているものである。即ち、通常はディスクトレーに対しメカデッキが昇降する仕組みになっている。ところが、ディスクトレーが動いているのを確認したり、又は見ることができないため、折角の高級なメカニズムをユーザが確認できないという問題がある。
【００１３】
従って、ディスクトレーに載置したディスク状記録媒体が筐体内部に収容され、その収容されたディスク状記録媒体の状態や、又は昇降駆動されているディスクトレーが外部から視認できるような構成に解決しなければならない課題を有する。
【００１４】
【課題を解決するための手段】
上記課題を達成するために、本発明に係るディスクドライブ装置は、次に示す構成にすることである。
【００１５】
（１）装着されたディスク状記録媒体を回転駆動するスピンドルモータ及びその回転駆動されるディスク状記録媒体にデータを記録及び／又は再生する手段が搭載されたメカデッキと、
上記メカデッキに上方から脱着可能に装着されて、そのメカデッキ内の上昇位置と下降位置との間で垂直方向に昇降駆動されるトレー昇降ユニットと、
上記トレー昇降ユニットに前方から脱着可能に装着されて、そのトレー昇降ユニットへの前方への引き出し位置と内部への引き込み位置との間での水平方向に出し入れ駆動されるディスクトレーと、
上記トレー昇降ユニットに取り付けられ、そのトレー昇降ユニットに対する上記ディスクトレーの出し入れ駆動と、上記メカデッキに対するそのトレー昇降ユニット自体の昇降駆動とを順次に行うローディング駆動機構と、
上記ディスクトレーに載置されたディスク状記録媒体が前記トレー昇降ユニットにより内部に引き込まれて下降した下降位置において前記スピンドルモータに装着されたディスク状記録媒体の端部及び／又は上記昇降駆動されているディスクトレーの端部に光線を照射する光源照射手段と、
上記ディスクトレーが引き出し又は引き込むディスク出入口の近傍位置に設けると共に、上記光線により照射されたディスク状記録媒体及び／又はディスクトレーを視認できるように屈折するプリズムを備えたディスク覗窓部と、
を備えたことを特徴とするディスクドライブ装置。
（２）前記プリズムは、覗く外側面を平面形状にすると共に反対側の面を湾曲面形状に形成すると共に、下部位置の肉厚に比べて上部位置の肉厚を厚く形成したことを特徴とする（１）に記載のディスクドライブ装置。
【００１６】
このように、メカデッキ内部に収納されたディスク状記録媒体に対して、光線を照射すると共にプリズムを用いて照射している部位が見えるようにしたことにより、ディスクトレーの昇降動作やディスク状記録媒体が実際に回転等の駆動しているのかどうかをみることができるようになる。
【００１７】
【発明の実施の形態】
次に、本発明に係るディスクドライブ装置の実施形態について、図面を参照して説明する。
【００１８】
本発明に係るディスクドライブ装置は、図１及び図２に示すように、直方体形状に形成され、その上部を開放にした筐体１１と、この筐体１１をカバーする蓋部１９と、その筐体１１の前方位置であって略中央位置にディスク状記録媒体（以下、ディスクという）を載置するディスクトレー２１及び開閉扉２２を備えたディスクユニット１２と、ディスクユニット１２のディスクトレー２１を出没自在に出し入れするトレー出入口部１６を備えると共にそのトレー出入口部１６の下部位置に設けたディスク覗窓部１７を備えたフロントパネル１３とからなり、フロントパネル１３には、電源ボタン１４と、各種の操作をする操作ボタン群１５と、ディスク覗窓部１７の下部位置に設けてある表示パネルをカバーする表示パネルカバー部１８とを備えた構成になっている。
【００１９】
このような構成において、ディスクを装着するには、図１に示すように、ディスクトレー２１を筐体１１外部に引き出して、ディスクトレー２１にディスクを載置すればよい。そして、ディスクトレー２１を押すか操作ボタンの操作によりディスクトレー２１が筐体内部に引き込まれる。
そうすると、図２に示すように、昇降動作のうち「降」動作をしてディスク状記録媒体は図示しないスピンドルモータに装着されると共に、フロントパネル１３の背後に位置している開閉扉２２が同じ「降」動作をしてトレー出入口部１６の背後に臨む状態となり、次に前方方向に押し出されてトレー出入口部１６を背後から閉塞してディスクの一連のローディングが完了する。このローディングに関する詳細な説明は後述する。
【００２０】
このような構成からなるディスクドライブ装置の内部構造について説明すると、図３に示すように、直方体形状に形成された筐体１１の内部には各部署に電源を供給する電源部２５、モータの回転やディスクからの読み込み等の制御をする制御部２６、スピーカ等に接続する接続部２７を備え、略中央位置にディスクを回転駆動させるディスクユニット１２を配置した構成になっている。
【００２１】
更に、筐体１１の前面略中央位置にディスクユニット１２のディスクトレー２１が出没自在に出入りするディスク出入口部２８と、このディスク出入口部２８の下部位置に四角形状のブロックからなる表示パネル部２９と、ディスク出入口部２８と表示パネル部２９との間であって、ディスク出入口部２８方向に傾斜した状態で取り付けてある光源載置部３０と、この光源載置部３０に取り付けてある光源部３１と、図３において前面右側位置に設けたスイッチ駆動部３２と、左側位置に設けたパワー駆動部３３とを備えた構成になっている。
そして、繰返し説明するが、この筐体１１の前面にはフロントパネル１３を取付ける構成になっており、このフロントパネル１３の略中央位置であってディスク出入口部２８に連通し且つディスクトレー２１が出入りできる空間からなるトレー出入口部１６と、このトレー出入口部１６の下部位置に筐体１１内部に装着されたディスクの回転状態を見ることができるディスク覗窓部１７と、そのディスク覗窓部１７の下部位置に表示パネル部２９をカバーする長方形状の表示パネルカバー部１８と、表示パネルカバー部１８の右下側に各種の操作ボタン群１５を配置し、左上側に電源ボタン１４を備えた構成になっている。
【００２２】
光源載置部３０は、図４に示すように、表示パネル部２９に連結してある基板３５の上部位置に設けたものであり、三角形状の３個の支柱３６により傾斜した状態で支持された載置板３７を備えた構造となっている。この光源載置部３０に取り付けられる光源部３１は、光源載置部３０に載る大きさに形成された基板３８からなり、この基板３８上に整列状態で４個の発光体３９を並べた構造となっている。この発光体３９の数は限定されないことは勿論のことである。又、この発光体３９はＬＥＤ等から構成され、外部電源部から電源が供給されて発光する構成になっており、全ての発光体を発光させるか又は選択された発光体を発光させることができるようになっている。
【００２３】
トレー出入口部１６は、図５に示すように、金属製部材で形成されているフロントパネル１３に開口部４１を設け、その開口部４１に樹脂で形成したトレーガイド部４２を取付けた構造となっている。
【００２４】
トレーガイド部４２は、開口部４１に係合する前面に傾斜を持たせた前面化粧部４３と、この前面化粧部４３に連設し奥方向に延びた面を有する扉滑走部４４と、この扉滑走部４４の裏側にディスク覗窓部１７を形成する表面が開口のボックス形状に形成したプリズム係合部４５とから構成されている。
【００２５】
このプリズム係合部４５には、プリズム４６が装着され、プリズム４６の前面が前面化粧部４３と面一になるように装着される。
【００２６】
プリズム４６は、細長い非対称の直方体形状に形成され、その前面４７が傾きを持った平面形状にし、その前面４７と反対方向の後面が凹状の湾曲形状に形成した後面４８とした構造となっている。このような形状にすると、傾斜した前面４７の略上方向から覗きこむとプリズムで屈折され、略水平方向に置かれている図示しない、ディスクトレーの端部及びディスクの回転状態を見ることができる。この点については後述する。
【００２７】
尚、このプリズム４６の形状は、種々のものが考えられ、取付けた時に、装置の上部方向からこのディスク覗窓部１７をみたときに、水平方向に屈折するような構造であればよく、上方向の視野角と下方向の視野角とを持った構造のプリズムであればよい。
【００２８】
例えば、第１の具体例である実施例のプリズム４６は、図６（Ａ）に示すように、前面４７の上方向の視野角α１が略３５°、前面４７の下方向の視野角β１が略−５°である。
第２の具体例のプリズム４６Ａは、図６（Ｂ）に示すように、実施例と略同じ形状に形成され、前面４７の上方向の視野角α２が略３３°、前面４７の下方向の視野角β１が略−３°である。
第３の具体例の４６Ｂプリズムは、図６（Ｃ）に示すように、前面４７側を水平方向に対して右方向に傾斜させ、後面４８側を水平方向に対して右方向に傾斜させ、前面４７と後面４８の上部厚みを下部側の厚みよりも厚くした構造となっており、前面４７の上方向の視野角α３が略２８°であり、前面４７の下方向の視野角β１が略−３°である。
第４の具体例のプリズム４６Ｃは、図６（Ｄ）に示すように、前面４７側を水平方向に対して右方向に傾斜させ、後面４８側を水平方向に対して右方向に傾斜させ、前面４７と後面４８の上部厚みを下部側の厚みよりも厚くした構造となっており、前面４７の上方向の視野角α４が略２５°であり、前面４７の下方向の視野角β４が略−３°である。
第５の具体例のプリズム４６Ｄは、図６（Ｅ）に示すように、前面４７側を水平方向に対して右方向に傾斜させ、後面４８側を水平方向に対して右方向に傾斜させ、前面４７と後面４８の上部厚みを下部側の厚みよりも厚くした構造となっており、前面４７の上方向の視野角α５が略２５°であり、前面４８の下方向の視野角β５が略−２°である。
第６の具体例のプリズム４６Ｅは、図６（Ｆ）に示すように、前面４７側を水平方向に対して右方向に傾斜させ、後面４８側を水平方向に対して右方向に傾斜させ且つ前面４７側の傾斜と略平行な傾斜構造となっており、前面４７の上方向の視野角α６が略２４°、前面４７の下方向の視野角β６が略−２°である。
【００２９】
第７の具体例のプリズム４６Ｆは、図７（Ａ）に示すように、前面４７側を水平方向に対して右方向に傾斜させ、後面４８側を水平方向に対して右方向に傾斜させ且つ前面４７側と後面４８側の傾斜と略平行な傾斜構造となっており、前面４７の上方向の視野角α７が略１９°、前面４８の下方向の視野角β７が略−８°である。
第８の具体例のプリズム４６Ｇは、図７（Ｂ）に示すように、前面４７側を水平方向に対して右方向に傾斜させ、後面４８側を水平方向に対して右方向に傾斜させ、前面４７の上部と後面４８の上部との厚みが下部の厚みに対して厚くした構造となっており、前面４７の上方向の視野角α８が略２４°、前面４８の下方向の視野角β８が略−１°である。
第９の具体例のプリズム４６Ｈは、図７（Ｃ）に示すように、前面４７側を水平方向に対して右方向に傾斜させ、後面４８側を水平方向に対して右方向に傾斜させ、前面４７の上部と後面４８の上部との厚みが下部の厚みに対して厚くした構造となっており、前面４７の上方向の視野角α９が略２５°、前面４８の下方向の視野角β９が略１°である。
第１０の具体例のプリズム４６Ｉは、図７（Ｄ）に示すように、前面４７側を水平方向に対して右方向に傾斜させ、後面４８側を水平方向に対して右方向に傾斜させ、前面４７の上部と後面４８の上部との厚みが下部の厚みに対して厚くした構造となっており、前面４７の上方向の視野角α１０が略２６°、前面４８の下方向の視野角β１０が略２°である。
第１１の具体例のプリズム４６Ｊは、図７（Ｅ）に示すように、前面４７側を水平方向に対して右方向に傾斜させ、後面４８側を水平方向に対して右方向に傾斜させた構造となっており、前面４７の上方向の視野角α１１が略２７°、前面４７の下方向の視野角β１１が略４°である。
第１２の具体例のプリズム４６Ｋは、図７（Ｆ）に示すように、前面４７側を水平方向に対して右方向に傾斜させ、後面４８側を水平方向に対して右方向に傾斜させ、断面が略三角形状になる構造となっており、前面４７の上方向の視野角α１２が略２８°、前面４７の下方向の視野角β１１が略４°である。
【００３０】
次に、フロントパネル１３に設けたトレー出入口部１６と、開閉扉２２の関係について説明する。開閉扉２２は、図８に示すように、細長い三角錐形状に形成され、三角錐形状の基部側がトレー出入口部１６の裏側に係合する大きさに形成された出入口支持部５０と、出入口支持部５０の底部であって扉滑走部４４を滑走してガイドする後方突出形成したガイド部５１と、出入口支持部５０に連設し上下面を互いにテーパにした出入口係合部５２と、出入口係合部５２に連設しトレー出入口部１６に挿通して外側に飛び出すように形成された出入口凸部５３とからなる。
このような構造の開閉扉２２は、トレー出入口部１６を閉塞する際に、トレー出入口部１６の背後から進み，出入口凸部５３がトレー出入口部１６に係合すると共にガイド部５１が扉滑走部４４にガイドされ、出入口係合部５２でトレー出入口部１６の背面から塞ぐようにして、トレー出入口部１６を閉塞する。
この点につき更に詳細に説明すると、先ず、ディスクトレーがディスクユニット内部に引き込まれるとディスクトレー自体が下降し、同時に、ディスクトレーの上部位置に配置されている開閉扉がトレー出入口部と対峙する位置まで下降する。このときにディスクのチャッキングがなされる。そして、次に、トレー出入口１６部の位置まで下降した開閉扉２２は、開閉扉２２のみが前方向に押し出されてトレー出入口部１６を閉塞する。
この状態で、ディスク覗窓部１７から覗くと、光が照射されているディスクトレー２１の端部及びスピンドルモータに装着されたディスクＤＬの状態を見ることができる。
【００３１】
ディスクユニット１２は、図９〜図１２及び主として図１３に示すように、中央位置を空洞に形成し、上部を開口状態にすると共に、四角形状箱体に形成したメカデッキ５５と、このメカデッキ５５の底部略中央位置に装着固定されている光学ピックアップユニット５６と、この光学ピックアップユニット５６の上部位置において昇降動作をして光学ピックアップユニット５６のスピンドルモータ５７にディスクを装着及び離脱させるローデイング機構部５８と、このローディング機構部５８の上部位置に配置され、ディスクトレー２１の昇降及び出入れ動作に追随して開閉扉を開閉動作させるトレー昇降ユニット５９とからなる。
【００３２】
光学ピックアップユニット５６は、所謂、光学系回路６０と、ディスクを回転させるスピンドルモータ５７とを備えた構造になっている。
【００３３】
ローディング機構部５８は、ディスクを出入れさせると共に昇降動作をする略コ字型形状をしたローディング板部６１と、このローディング板部６１の両側に立設して配置され、出入れするための溝及び昇降するためのカム機構を備えたスライダーカム６２，６３と、ローディング板部６１の基部背面にローデイングをするためのローデイングモータ６４を備えたローディング駆動基板６５と、このローディング駆動基板６５に信号を伝達するメカデッキ５５の外側底部に設けたトレー駆動基板６６と、ローディングモータ６４の回転軸に取り付けられ、ローディング板部６１の表面に配置してなる駆動ギヤ６７と、この駆動ギヤ６７に螺合すると共にディスクトレー２１の背面側であって長手方向に刻んだラックに螺合するピニオン６８と、ディスクトレー２１の背面に刻んだラックに螺合してディスクトレーの短手方向を同時にガイドするリンクギヤ６９を有するリンク軸７０と、ローデイング板部６１の両側に立設してあるスライダーカム６２，６３に設けてある昇降溝７１，７２にメカデッキ５５の昇降突部７３を係合させてローディング機構部５８自体を昇降させるリンクアーム７４とからなる。
【００３４】
トレー昇降ユニット５９は、図１３、図１４及び図１５に示すように、四角の平板形状に形成したユニットカバー７５と、ユニットカバー７５の背面側に取り付けられ、ディスクトレー２１の出没方向に対して直交方向の左右方向に動いて開閉扉２２を前後方向に動かす扉スライダーカム７６と、扉スライダーカム７６と重ねて形成され、扉スライダーカム７６のカムに係合して扉スライダーカム７６が左右方向の動きに対して直交方向の前後方向に動く扉スライダー７７と、扉スライダーカム７６の部分ラック８６に係合して回動動作を扉スライダーカム７６に伝達する駆動アーム７８と、ユニットカバー７５の略中央位置であってディスクをチャッキングする上部フランジ７９及びチャッキングプーリ８０（図１４、図１５参照）と、扉スライダー７７に取り付けられトレー出入口部１６（図２参照）を閉塞する開閉扉２２とからなる。
【００３５】
ユニットカバー７５には、図１４に示すように、扉スライダー７７を前後方向にガイドする３個の細長い出没ガイド溝８１ａ、８１ｂ、８１ｃと、この出没ガイド溝８１ａ、８１ｂの近傍位置であって背面に、扉スライダーカム７６を前後方向に対して直交する方向へのスライドをガイドする左右ガイド凸部８２ａ、８２ｂと、図１４において左端部寄りに駆動アーム７８を回動させる支軸となる駆動アーム支軸８３とを備えた構成になっている。
【００３６】
扉スライダーカム７６は、細長い板部材で形成され、端部寄りであって長手方向に沿ってユニットカバー７５の左右ガイド凸部８２ａ、８２ｂに係合して左右方向の動きをガイドする左右ガイド溝８３ａ、８３ｂと、この左右ガイド溝８３ａ、８３ｂに近傍位置に扉スライダー７７を前後方向にガイドするヘの字状に形成されている出没カム８４ａ、８４ｂと、端部に駆動アーム７８の部分ギヤ８５と螺合して駆動アーム７８の回動動作を左右動作に伝達する部分ラック８６とを備えた構成になっている。
【００３７】
扉スライダー７７は、長方形形状に形成した長手方向端部を直角方向に折り曲げ、開閉扉２２を支持する開閉扉支持部８７とし、この開閉扉支持部８７の反対方向端部、左右端部の３ヶ所にユニットカバー７５の出没ガイド溝８１ａ、８１ｂ、８１ｃに係合して前後方向にガイドする出没ガイド凸部８８ａ、８８ｂ、８８ｃとを備えた構成になっている。
【００３８】
このような構成からなるトレー昇降ユニット５９は、先ず、ユニットカバー７５の駆動アーム支軸８３に駆動アーム７８の支点部８８を嵌合させてストッパ８９を取り付けて組み立てる。そして、このユニットカバー７５の背面から２個の左右ガイド凸部８２ａ、８２ｂに左右ガイド溝８３ａ、８３ｂを係合させて扉スライダーカム７６を係合させる。この状態で更に扉スライッダーカム７６の背面から３個の出没ガイド凸部８８ａ、８８ｂ、８８ｃを出没カム８４ａ、８４ｂ及び出没ガイド溝８１ａ、８１ｂ、８１ｃに係合させストッパ９０で係止させて組み立てる。この時に、左右ガイド凸部８２ａ、８２ｂが左右ガイド溝８３ａ、８３ｂに係合する。
このようにして組み立てたトレー昇降ユニット５９をディスクユニット１２（図１３参照）に組み立てると、図１５に示すように、駆動アーム７８の伝達ギヤ９１がスライダーカム６２の出没ラック９２に係合し、部分ギヤ８５が部分ラック８６に係合した状態となる。
そして、スライダーカム６２が図１５において下方向に動くと出没ラック９２に係合している伝達ギヤ９１が下部方向に動き、駆動アーム支軸８３を中心にして駆動アーム７８が矢印Ｐ方向に回動する。すると、部分ギヤ８５に係合している部分ラック８６に回動動作が伝達され、扉スライダーカム７６が図１５において左方向の矢印Ｑ方向にスライドする。扉スライダーカム７６がスライドすると、ヘの字状に形成されている出没カム８４ａ、８４ｂに係合している出没ガイド凸部８８ａ、８８ｂがヘの字の距離分だけ図１５において下方向に扉スライダー７７を押し、開閉扉２２が前方向に出ることになる。
元の位置に戻るには、スプリング９３の付勢力により戻る構成になっている。
【００３９】
次に、ディスクトレーについて説明する。ディスクトレー２１は、図１３及び図１６に示すように、馬蹄形状に形成された基部側の中心位置が開口に形成されているディスク載置部９５と、二股に別れた後端部９６とからなる。
【００４０】
ディスク載置部９５は、図１６に示すように、大径と小径のディスクＤＬ、ＤＳが載置できるものであり、外側に大径ディスク搭載部９７と、内側に小径ディスク搭載部９７Ａと、大径ディスクＤＬを大径ディスク搭載部９７に案内する等間隔に配列した三角錐形状の４個のディスクガイド９８とからなる。
【００４１】
大径ディスク搭載部９７は、ディスクガイド９８の内側位置に円形形状の溝からなる円形輪郭線溝９９と、この円形輪郭線溝９９の内側に所定の幅を持った円環形状に形成され、大径ディスクＤＬの記録再生面から外れた外周位置を支持するディスク外周載置面１００と、このディスク外周載置面１００に連設し、一段窪んで形成した陥没面１０１とからなる。
【００４２】
ディスクガイド９８は、大径ディスク搭載部９７に大径ディスクＤＬをガイドするものであり、大径ディスクＤＬの外周端部がディスク外周載置面１００上へ自然落下作用にて滑り込ませるための稜線の１つを利用した急角度の傾斜部１０２を備えた構造となっている。
又、このディスクガイド９８は、視認性を高めるために、ディスクトレー２１全体がシルバー色等の渋い色に着色されているのに対して、独特な色、例えば黒色等の濃い色に着色されている。
【００４３】
小径ディスク搭載部９７Ａは、大径ディスク搭載部９７の陥没面１０１に連設して更に段差を持って小径ディスクＤＳの記録再生面よりも外周位置の外周側を支持する小径ディスク外周載置面１０３と、この小径ディスク載置面１０３に連設し更に段差を持って形成された小径ディスク陥没面１０４とからなる。
【００４４】
次に、上記構成からなるディスクトレー２１は、大径ディスクＤＬを指で挟んで大径ディスク搭載部９７に載せると、大径ディスクＤＬの外周端部がディスクガイド９８にガイドされてディスク外周載置面１００に載さることにより、記録再生面が陥没面１０１に対峙した状態で搭載することができる。
【００４５】
小径ディスクＤＳを搭載する場合には、ディスク搭載部９５の略中心位置にある小径ディスク搭載部９７Ａの小径ディスク外周載置面１０３に小径ディスクＤＳの記録再生領域から外れた外周端部を載せるようにして載置する。
【００４６】
このようにして大径ディスクＤＬ又は小径ディスクＤＳを載せるのであるが、これはディスクトレー２１が「出」の状態でディスク（ＤＬ又はＤＳ）を載置するのであり、ディスクトレー２１に載置したディスク（ＤＬ又はＤＳ）は、操作ボタン又はトレー自体を押すことにより筐体内に収容されて、「没」の状態になり、次に、「昇」から「降」の状態になり、ディスク（ＤＬ又はＤＳ）をスピンドルモータに装着すると共に、その装着状態を外部から視認できる。この動作については追って順次説明する。
【００４７】
次に、ディスクトレー２１が出没自在に動作するための機構について、図面を参照して説明する。
【００４８】
ディスクトレー２１が出没自在に動作するための機構は、図１７〜図２０に示すように、ディスクトレー２１の裏面に設けたＪ形ラック１１０に係合するピニオン６８を設けた差動機構１１１により出没自在に動作し、且つリンクアーム７４の回動動作によって「没」の状態から昇降する構成になっている。
【００４９】
図１７に示すディスクトレー２１は、ディスクトレー２１の表面から背面側を見た透視図であり、ディスクトレー２１の背面側には、長手方向に沿った両端部に直線状に形成したリンク軸ガイドラック１１２を備え、その内側であって、一方の後端部９６から基部側のディスク載置部９５に向けてＪ形ラック１１０を備え、更にその内側にＪ形ラック１１０に沿って形成したＪ形ガイド溝１１３を備えた構成になっている。他方の後端部９６から基部側のディスク載置部９５に向けて備えたリンク軸ガイドラック１１２の内側にガイド溝１２４を備えた構成になっている。このＪ形ガイド溝１１３とガイド溝１２４により、ディスクトレー２１を出没自在にガイドし、Ｊ形ガイド溝１１３の湾曲部分で昇降動作をガイドする。
【００５０】
差動機構１１１は、図１３に示すディスクユニット１２及び図１７に示すディスクトレー２１に示すように、ローデイングモータ６４に連結されている駆動ギヤ６７を駆動源にして、この駆動ギヤ６７に螺合してなる２個の中間ギヤ１１４、１１５、この中間ギヤ１１５に螺合し、且つＪ形ラック１１０に係合するピニオン６８とから構成されている。このような構成の差動機構１１１においては、ローデイングモータ６４が回転駆動すると駆動ギヤ６７が回転し、その回転運動をピニオン６８に伝達し、Ｊ形ラック１１０に螺合しているディスクトレー２１自体が出没自在な直線運動をすることができる。
【００５１】
又、この差動機構１１は、図１８に示すように、ディスク載置部９５側のユニットベース１１６の略中央位置を支点とする支点ピン１１７で係止されているリンクアーム７４の片側の腕部に設けてある差動溝１３０に、差動アーム１１８のリンクアーム駆動ピン１３１を係合させ、差動アーム１１８に設けてある差動アーム支点軸１１９を中心に回動できる構成になっている。この差動アーム支点軸１１９に中間ギヤ１１４を嵌め合わせ、中間ギヤ支点軸１２０にもう１つの中間ギヤ１１５を嵌め合わせ、ピニオン軸１２１にピニオン６８を嵌め合わせるようにして組み立てる（図１７参照）。
そして、この差動アーム１１８のリンクアーム駆動ピン１３１の回動動作を、リンクアーム７４の差動溝１３０に伝達することにより、リンクアーム７４が支点ピン１１７を中心にして回動動作をさせる。この回動動作は、図１９に示すように、ピニオン６８が直線状のＪ形ラック１１０を回転させて、「没」方向にディスクトレー２１を動かし、差動機構１１１がＪ形ラック１１０の湾曲した位置に入り込んできたときに、図２０に示すように差動機構１１１自体が回動され（矢印Ｐ方向）、その回動動作がリンクアーム７４に伝達され、リンクアーム７４が支点ピン１１７を中心に回動動作をし、リンクアーム７４の両腕部端部のリンク溝１２２にスライダーカム６２、６３のリンクピン１２３が互いに逆方向、即ち、スライダーカム６２が「出」方向の矢印Ｑ方向、スライダーカム６３が「没」方向の矢印Ｒ方向に動くように作用する。
スライダーカム６２、６３が互いに逆方向に動くことによりディスクユニットの昇降動作のうち「降」動作をすることができる。この点については以下に後述する。
【００５２】
次に、上記ディスクトレー２１に係合している差動機構１１１による一連の動作及びディスクユニット１２自体の昇降動作について、図９〜図１２に示すディスクユニットの平面図及び斜視図、図１７〜図２０に示すディスクトレー２１の構成図、図２１〜図２４に示すディスクユニット１２の昇降する際の断面図、を参照して、以下説明する。
【００５３】
先ず、図９、図１１及び主として図２１に示すように、ディスクトレー２１が「出」の状態のときには、ディスクトレー２１がフロントパネル１３のトレー出入口部１６から外に出た状態となっており、光源部３１からの光線は、ディスクトレー２１の後端部に当たる。
この時、トレー昇降ユニット５９の開閉扉２２はフロントパネル１３の内側であってトレー出入口部１６内側の上部位置に存在する。この状態で、ディスクトレー２１の上方向からディスク載置部９５にディスクＤＬを載置することができる。
又、スライダーカム６３のヘ字型形状の昇降溝７１、７２にはメカデッキ側に固定の昇降突部７３が昇降溝７１、７２の下部位置に係合されている。
【００５４】
次に、操作ボタン又はディスクトレーを押すことにより、図１０、図１２及び、図１７、図１９、図２０及び図２２に示すように、ローディングモータ６４が回転し、ディスクトレー２１のＪ形ラック１１０に係合している差動機構１１１のピニオン６８が回転することにより、リンク軸７０のリンクギヤ６９が回転してリンク軸ガイドラック１１２にガイドされてディスクトレー２１自体が筐体内部に引き込まれる。
この引き込みは、図１９に示すように、差動機構１１１がローディングモータ６４に連結している駆動ギヤ６７の回転によりＪ形ラック１１０に係合しているピニオン６８が回転することにより、Ｊ形ガイド溝１１３にガイドされ、ディスクトレー２１が筐体内部に収容され、図１９に示す位置、即ち、Ｊ形ラック１１０の湾曲した円弧状の部分に到達したときに、図２２に示すディスクトレー２１がディスクユニット内部に最大限引き込まれた状態となる。
この状態の時に、図２２に示すように、ディスクトレー２１に載置されているディスクＤＬが、丁度、スピンドルモータ５７の真上の位置に位置決めされた状態になる。この時、光源部３１からの光線はローデイング機構部５８の側面壁に当たり、ディスク覗窓部１７から見えるのは、この光線の当たっているローディング機構部５８の側面壁を見ることになる。従って、ディスク覗窓部１７から見える動きは、動いている側壁面の反射光を見ることになる。
【００５５】
この状態で、図２３及び主として図２０に示すように、更にローデイングモータ６４の回転が続き、ディスクトレー２１の背面側に設けたＪ形ラック１１０の円弧状の部分にピニオン６８が係合して進むと、その円弧状の位置に追随するピニオン６８の動きに伴って、差動アーム１１８が差動アーム支点軸１１９を中心にして図２０において反時計方向に回動する（矢印Ｐ方向）ことにより、リンクアーム７４の左側先端部のリンクピン１２３が前方向（矢印Ｑ方向）に動き、右側先端部のリンクピン１２３が後方向（矢印Ｒ方向）に動き、スライダーカム６３が後方向にスライドする。
そうすると、図２３に示すように、メカデッキ５５に取り付けてある固定の昇降突部７３に係合しているスライダーカム６３の昇降溝７１にガイドされて、スライダーカム６３が後方向に動き、ローディング機構部５８全体が降下する。降下する途中においてディスクＤＬがスピンドルモータ５７に装着され、なをも降下するため、ディスクトレー２１からディスクＤＬが離れた状態になり、ローディング機構部５８が下がった状態で「降」が完了する。
このとき、図２３に示すように、ローディング機構部５８が降下したため、トレー昇降ユニット５９の開閉扉２２がトレー出入口部１６に対峙する位置関係になる。そして、図２０に示すように、更にＪ形ラック１１０の湾曲形状の位置を差動機構１１１が進行すると、図１５に示すように、左側のスライダーカム６２（図において右側位置）がリンクアーム７４の回動動作（矢印Ｐ方向）により前方方向に動くことにより、出没ラック９２が前方方向に動き、駆動アーム７８の伝達ギヤ９１が回動し、部分ギヤ８５にその回動動作が伝達され、扉スライダーカム７６が右方向（図において左方向の矢印Ｑ方向）に動くことにより扉スライダー７７が前方向に動き、開閉扉２２がトレー出入口部１６（図２３参照）を背後から閉塞する。
【００５６】
このようにしてディスクの一連のローディングが完了するのであるが、このときに、図２３及び図２４に示すように、スピンドルモータ５７に装着されたディスクＤＬの端部及びディスクトレー２１の端部に対して、光源部３１からの光線が当たっている位置関係になる。従って、ディスク覗窓部１７からみると、光線の当たっているディスク端部及びディスクトレー端部を見ることができ、ディスクＤＬが回転していればその乱反射光を見ることができ，実際にディスクＤＬが筐体内部に収容されて動いている様子を見ることができるのである。
【００５７】
【発明の効果】
上記説明したように、本発明に係るディスク装置は、筐体内部に収容されたディスク状記録媒体及びディスクトレー端部の様子を外部から覗けるようにしたことにより、実際に駆動している状態が外部から視認できるため、ディスクトレーが昇降している様子や再生状態とディスク状記録媒体の駆動状態とをリンクさせることができるという効果がある。
【図面の簡単な説明】
【図１】本発明に係るディスクトレーを引き出した状態のディスクドライブ装置の全体図である。
【図２】同ディスクトレーを引き込んだ状態のディスク装置の全体図である。
【図３】同ディスクドライブ装置の内部構成を示した全体斜視図である。
【図４】同表示パネル部の構造を示した部分斜視図である。
【図５】同ディスク覗窓部の構造を示した部分斜視図である。
【図６】同プリズムの変形例を示した説明図である。
【図７】同プリズムの変形例を示した説明図である。
【図８】同ディスク覗窓部と開閉扉との関係を示した部分斜視図である。
【図９】同ディスクトレーが引き出されているときのディスクユニットの平面図である。
【図１０】同ディスクトレーが引き込んでいるときのディスクユニットの平面図である。
【図１１】同ディスクトレーが引き出されているときのディスクユニットの斜視図である。
【図１２】同ディスクトレーが引き込んでいるときのディスクユニットの斜視図である。
【図１３】同ディスクユニットの構成を分解して示した分解斜視図である。
【図１４】同昇降ユニットの構成を分解して示した分解斜視図である。
【図１５】同昇降ユニットの平面図である。
【図１６】同ディスクトレーの斜視図である。
【図１７】同ディスクトレーの背面側の構成を示した透視平面図である。
【図１８】同ディスクトレーの差動機構を一部省略した平面図である。
【図１９】同ディスクトレーの背面側の構成で差動機構が湾曲形状のラックにさしかかったときの透視平面図である。
【図２０】同ディスクトレーの背面側の構成で、差動機構が湾曲形状のラックを進行したときの平面図である。
【図２１】同ディスクトレーが引き出されているときの断面図である。
【図２２】同ディスクトレーが引き込まれたときの断面図である。
【図２３】同ディスクトレーが引き込まれ、「降」動作をしたときの断面図である。
【図２４】同光源部と外からみたときの状態を示す断面図である。
【図２５】従来技術におけるディスクトレーが引き出されている状態のディスク装置の全体図である。
【図２６】従来技術におけるディスクトレーが引き込んでいる状態のディスク装置の全体図である。
【図２７】従来技術におけるディスクトレーが引き出されているときのディスクユニットの斜視図である。
【図２８】従来技術におけるディスクトレーが引き込んでいるときのディスクユニットの斜視図である。
【符号の説明】
１１；筐体、１２；ディスクユニット、１３；フロントパネル、１４；電源ボタン、１５；操作ボタン群、１６；トレー出入口部、１７；ディスク覗窓部、１８；表示パネルカバー部、１９；蓋部、２１；ディスクトレー、２２；開閉扉、２５；電源部、２６；制御部、２７；接続部、２８；ディスク出入口部、２９；表示パネル部、３０；光源載置部、３１；光源部、３２；スイッチ駆動部、３３；パワー駆動部、３５；基板、３６；支柱、３７；載置板、３８；基板、３９；発光体、４１；開口部、４２；トレーガイド部、４３；前面化粧部、４４；扉滑走部、４５；プリズム係合部、４６；プリズム、４６Ａ；プリズム、４６Ｂ；プリズム、４６Ｃ；プリズム、４６Ｄ；プリズム、４６Ｅ；プリズム、４６Ｆ；プリズム、４６Ｇ；プリズム、４６Ｈ；プリズム、４６Ｉ；プリズム、４６Ｊ；プリズム、４６Ｋ；プリズム、４７；前面、４８；後面、５０；出口支持部、５１；ガイド部、５２；出入口係合部、５３；出入口凸部、５５；メカデッキ、５６；光学ピックアップユニット、５７；スピンドルモータ、５９；トレー昇降ユニット、６１；ローデイング板部、６２；スライダーカム、６３；スライダーカム、６４；ローデイングモータ、６５；ローデイング駆動基板、６６；トレ０駆動基板、６８；ピニオン、６９；リンクギヤ、７０；リンク軸、７１；昇降溝、７２；昇降溝、７３；昇降突部、７４；リンクアーム、７５；ユニットカバー、７６；扉スライダーカム、７７；扉スライダー、７８；駆動アーム、７９；上部フランジ、８０；チャッキングプール、８１ａ；出没ガイド溝、８１ｂ；出没ガイド溝、８１ｃ；出没ガイド溝、８２ａ；左右ガイド凸部、８２ｂ；左右ガイド凸部、８３；駆動アーム支軸、８３ａ；左右ガイド溝、８３ｂ；左右ガイド溝、８４ａ；出没カム、８４ｂ；出没カム、８５；部分ギヤ、８６；部分ラック、８７；開閉扉支持部、８８；支点部、８８ａ；出没ガイド凸部、８８ｂ；出没ガイド凸部、８９；ストッパ、９０；ストッパ、９１；伝達ギヤ、９２；出没ラック、９３；スプリング、９５；ディスク載置部、９６；後端部、９７；大径ディスク搭載部、９７Ａ；小径ディスク搭載部、９８；ディスクガイド、１００；ディスク外周載置面、１０１；陥没面、１０２；傾斜部、１０３；小径ディスク搭載部、１０４；小径ディスク陥没面、１１１；差動機構、１１２；リンク軸ガイドラック、１１３；Ｊ形ガイド溝、１１４；中間ギヤ、１１５；中間ギヤ、１１７；支点ピン、１２１；ピニオン軸、１２２；リンク溝、１２３；リンクピン、１２４；ガイド溝、１３０；差動溝、１３１；リンクアーム駆動ピン。
【図１】
2004014003.tif 000003
【図２】
2004014003.tif 000004
【図３】
2004014003.tif 000005
【図４】
2004014003.tif 000006
【図５】
2004014003.tif 000007
【図６】
2004014003.tif 000008
【図７】
2004014003.tif 000009
【図８】
2004014003.tif 000010
【図９】
2004014003.tif 000011
【図１０】
2004014003.tif 000012
【図１１】
2004014003.tif 000013
【図１２】
2004014003.tif 000014
【図１３】
2004014003.tif 000015
【図１４】
2004014003.tif 000016
【図１５】
2004014003.tif 000017
【図１６】
2004014003.tif 000018
【図１７】
2004014003.tif 000019
【図１８】
2004014003.tif 000020
【図１９】
2004014003.tif 000021
【図２０】
2004014003.tif 000022
【図２１】
2004014003.tif 000023
【図２２】
2004014003.tif 000024
【図２３】
2004014003.tif 000025
【図２４】
2004014003.tif 000026
【図２５】
2004014003.tif 000027
【図２６】
2004014003.tif 000028
【図２７】
2004014003.tif 000029
【図２８】
2004014003.tif 000030